(57)【要約】      （修正有）【課題】湯たんぽのほか、足温器などとしても使用することができる、多用途湯たんぽに適した機能を備えた足温部つき湯たんぽカバーを提供する。【解決手段】カバー本体２１は、開閉部にて開閉手段２２によって開閉される湯たんぽ収容部２３を有するとともに、湯たんぽ収容部２３とは別の袋状構造よりなる足温部２４を有するものとし、足温部２４は、足を入れることができる大きさと形状にカバー本体の上面に設けたポケット部分２５と、ポケット部分の開口部２６を閉じるフラップ部分２７とによって構成する。ポケット部分の開口部を閉じている、フラップ部分２７には、ポケット部分に足を入れたときに踵が包まれるように、フラップ部分の開閉箇所よりも後方に、浅い袋状部分２８を設け、かつ使用中に偶然に開放されることを防止するために、その開閉端部を、ポケット部分においてボタン３２によって留め付ける。【選択図】図１
0003126683.tif 000002
【実用新案登録請求の範囲】
【請求項１】
湯たんぽを収めるために袋状構造よりなるカバー本体を有し、その周側に沿って開閉部を設けた柔軟な素材よりなる湯たんぽのカバーであって、
カバー本体は、開閉部にて開閉される湯たんぽ収容部を有するとともに、湯たんぽ収容部とは別の袋状構造よりなる足温部を有し、
足温部は、足を入れることができる大きさと形状にカバー本体の上面に設けたポケット部分と、ポケット部分の開口部を閉じるフラップ部分によって形成されている足温部付き湯たんぽカバー。
【請求項２】
ポケット部分の開口部を閉じている、フラップ部分は、ポケット部分に足を入れたときに踵が包まれるように、フラップ部分の開閉箇所よりも後方に、浅い袋状部分を有しており、かつ使用中に偶然に開放されることを防止するために、その開閉端部が、ポケット部分においてボタンによって留め付けた構成を有する請求項１記載の足温部付き湯たんぽカバー。
【請求項３】
湯たんぽ収容部を開閉する開閉手段がスライドファスナーであり、そのスライダーの、湯たんぽによる加熱状況を緩和するために、スライドファスナーの開閉端部の内側に、スライダーが直接湯たんぽに接触するのを防止する当て布を取り付けた構成を有する請求項１記載の足温部付き湯たんぽカバー。
【考案の詳細な説明】
【技術分野】
【０００１】
本考案は、湯たんぽを収める袋状構造の袋本体を有し、その周側に開閉部を設けた、柔軟な素材より成る、足温部付き湯たんぽカバーに関するものである。
【背景技術】
【０００２】
本考案に先立って、本考案者は足温器としても使用可能な構成を有する多用途湯たんぽを開発し、その技術的な成果について特許出願をした（特願２００６−８９２０６号）。同発明は、一端が低く、他端が高い側面形状を有する湯たんぽ本体を形成し、その傾斜した上面に足をのせ、足温器として使用できるようにしたもので、上面には凹凸模様を設けてあり、指圧器としても使用することができる。
【０００３】
この多用途湯たんぽを使用する場合、一般の湯たんぽと同様に、例えばタオルやその他の布類を使用して包むのが普通である。しかし、多用途湯たんぽを製造するメーカーとしては、多用途湯たんぽにふさわしい機能を備えたカバーを提供したいとの考えから、開発を開始した。しかし、湯たんぽが多用途であるからには、カバーも各用途に適した機能性を有するものであることが望まれる。また、多用途であることにより安全性が損なわれてはならない。
【０００４】
従来の湯たんぽを包む技術について調査したところ、特開２００５−１６０７０７号の湯たんぽカバーの発明が見出された。同発明のカバーを使用する湯たんぽは、指圧も可能な構成を有している。同発明のカバーは湯たんぽ全体を包むとともに、身体の所要部分に当てる側の部材に、カバー部材にクッション材をサンドウィッチしたり、身体に着用するためにベルトを設けたりしている。しかし、スライドファスナーが開いた場合に身体が湯たんぽに触れ易い構成であり、低温やけどに対する対策が必要と思われる。
【０００５】
また、実用新案登録第３１１８４２４号の考案は、樹脂成形品ではない袋状の保冷手段や湯たんぽ、携帯カイロ等の保温手段を使用するもので、それらの保冷手段や保温手段を挿入するための保冷、保温バッグを提案している。同考案の保冷、保温バッグは、身体に着用することを主眼とするもので、バッグの一面に設けポケットを有しており、ポケットの左右は開放していて、両手を差し込むことができる。しかし、足温器や指圧器として使用することは考えられていないようである。
【０００６】
【特許文献１】特開２００５−１６０７０７号
【特許文献２】実用新案登録第３１１８４２４号
【考案の開示】
【考案が解決しようとする課題】
【０００７】
本考案は上記の点に着目して成されたもので、その課題は、足温器等としても使用可能な多用途湯たんぽにふさわしい機能を備えた足温部付き湯たんぽカバーを提供することである。また、本考案の他の課題は、多用途湯たんぽ及びその他の湯たんぽを、安全に使用できるようにすることである。
【課題を解決するための手段】
【０００８】
前記の課題を解決するため本考案は、湯たんぽを収めるために、袋状構造よりなるカバー本体を有し、その周側に開閉部を設けた柔軟な素材よりなる湯たんぽのカバーとして、カバー本体は、開閉部にて開閉される湯たんぽ収容部を有するとともに、湯たんぽ収容部とは別の袋状構造よりなる足温部を有し、足温部は、足を入れることができる大きさと形状に袋本体の上面に設けたポケット部分と、ポケット部分の開口部を閉じるフラップ部分によって形成されているものとするという手段を講じたものである。
【０００９】
本考案に係る湯たんぽのカバーは、湯たんぽを収めるために袋状構造よりなるカバー本体を有しているものを言い、その周側に沿って開閉部を設けた柔軟な素材よりなるものである。このカバーは、前記の多用途湯たんぽを収めることができるのは勿論であるが、多用途性を有していないその他の湯たんぽを収めるためにも使用することができる。
【００１０】
カバー本体は、開閉部にて開閉される湯たんぽ収容部を有しており、この湯たんぽ収容部自体がまず袋状構造になっている。そしてこの袋状構造の湯たんぽ収容部とは別の袋状構造よりなる足温部を、カバー本体に有しているものである。従って、カバー本体には、湯たんぽ収容部と、足温部の二つの袋状構造を有している。これらの二つの袋状構造は、完全に独立した構造でも良いし、また、例えば先端を縫い付けない構造になっていても良い。
【００１１】
足温部は、足を入れることができる大きさと形状にて、袋本体の上面に設けた、前記の袋状構造を有するポケット部分と、ポケット部分の開口部を閉じるフラップ部分によって形成されている。ポケット部分は、足を入れることができる大きさと形状を有する部分であり、足温部の主要部分を占めている。フラップ部分は、ポケット部分の開口部を閉じるために開口を覆うフラップ状の部分であり、このフラップ形状を、踵を包むために利用する構成である。
【００１２】
そして、フラップ部分は、ポケット部分に足を入れたときに開口部から出てしまう踵が包まれるように、フラップ部分の開閉箇所よりも後方に、浅い袋状部分を有しているものとする。浅い袋状部分は、４角形状のフラップの例えば長辺全部と、その両角に続く辺の一部を固定してできる部分によって形成されている。浅い袋状部分に踵が位置すると、両角に続く辺の一部がフラップを立ち上げて、踵を包む状態になる。
【００１３】
ポケット部分の開口部を閉じているフラップ部分は、湯たんぽとして使用中に偶然に開放されることを防止するために、その開閉端部が、ポケット部分においてボタンによって留め付けた構成とする。丸いボタンが外れるには、スリット状のボタン穴を潜り抜けなければならず、そのようなことは手を用いなければ行なうことができず、従って睡眠中に足がポケット部に入り込む可能性は少なく、低温やけどの恐れも少ない。
【００１４】
湯たんぽ収容部を開閉する開閉手段には、スライドファスナーを使用すると良いが、そのスライダーが湯たんぽに接触していると熱を帯びて熱いと感じることがある。そこで、湯たんぽとの接触による加熱状況を緩和するために、スライドファスナーの開閉端部の内側に、スライダーが直接湯たんぽに接触するのを防止する当て布を取り付けることができる。
【考案の効果】
【００１５】
本考案は上記のように構成されかつ作用するものであるから、湯たんぽを足温器として使用したときに、足を入れることができる大きさと形状に袋本体の上面に設けたポケット部分に足を入れることに伴いフラップ部分によって踵が包まれ、足のほぼ全体が同じように暖められて、快適な使用状態を得ることができるという効果を奏する。また、本考案によれば、多用途湯たんぽ及びその他の湯たんぽを収め、湯たんぽとして使用する際に、フラップ部分の不意に外れる恐れがなく、スライダーが直接湯たんぽに接触せず、過度に加熱されるということもないので、安全に使用することができる。
【考案を実施するための最良の形態】
【００１６】
以下図示の実施形態を参照して、本考案をより詳細に説明する。図１において、１０は本発明に係る足温部付き湯たんぽカバーを示しており、本考案者の考案に係る多用途湯たんぽ１１を収めることができるとともに、多用途性を有していない従来型の湯たんぽ１２を収めるためにも使用することができる。
【００１７】
例示の多用途湯たんぽ１１は、一端が低く、他端が高い側面形状を有する湯たんぽ本体１３を具備し、その湯たんぽ本体１３の傾斜した上面に、足温器として使用するために、足を乗せる場所であることを示すとともに、より小型の小突起１４ａから成り、指圧突起として機能するとともに、表裏判別のための手段を兼ねる表示模様を型成形によって形成し、高い方の他端部に凹部１５を形成するとともに、凹部１５に収まる注湯口１６を形成し、さらに、湯たんぽ本体１３において上面及び下面から内方へ突き出し、かつ、湯たんぽ本体内部にて固着し一体となって変形を防止する柱部１７を設けた構成を有する。湯たんぽ本体１３の下面側には、人体背面の腰部形状に適合した曲面１８を形成している（図４参照）。また、湯たんぽ本体１３の上面側及び下面側には、指圧突起として機能する、より大型の大突起１４ｂを四隅に適当数形成している。また、湯温の低下に伴う内部圧力の低下に耐える対変形手段として、前後左右の側面に凹状の湾曲部１９−１〜１９−４を設けている。
【００１８】
従来型の湯たんぽ１２については、表面に横縞状の波型として設けられている対変形手段を有する湯たんぽ本体１３′に、注湯口１６′を有するものを例示している。これらの湯たんぽ１１、１２はほぼ同等の内容積を有し、それ故、平面積及び厚さも大体同じようなものとする。また、重要な要件ではないが、多用途型湯たんぽ１１、従来型の湯たんぽ１２の材料は主としてプラスチック製、場合によっては金属製である。なお、２０は提げ手を示す。
【００１９】
本考案に係る足温部付き湯たんぽカバー１０は、上記のような湯たんぽ１１、１２を収めることができる大きさ及び形状を持ち、かつ、袋状構造よりなるカバー本体２１を有している。カバー本体２１は、厚手のフエルトなどの柔軟な素材より成り、湯たんぽ１１、１２の形態に適合するよう扁平な形態を有している。カバー本体２１には、周側に沿って開閉部を開閉するスライドファスナーからなる開閉手段２２が設けてあり、これによって、カバー本体内部の湯たんぽ収容部２３が開閉される。例示の湯たんぽ収容部２３はそれ自体が袋状構造を有しており、この袋状構造の湯たんぽ収容部２３とは別の袋状構造よりなる足温部２４を、カバー本体２１に設けている。即ちカバー本体２１には、湯たんぽ収容部２３と、足温部２４が二つの独立した袋状構造として設けられている。
【００２０】
足温部２４は、左右両足をそろえて入れることができる大きさと形状を有するもので、カバー本体２１の上面に設けた、袋状構造を有するポケット部分２５を有する。ポケット部分２５は、カバー本体２１の開閉部に対して１８０度反対の側に位置する開口部２６を有する。ポケット部分２５は、両足を入れることができるように開口部２６で大きく開き爪先で狭まる構造に形成されている。さらに、足温部２４は、ポケット部分２５の開口部２６を閉じるフラップ部分２７を有している。
【００２１】
フラップ部分２７は、ポケット部分２５の開口部２６を閉じるために覆うフラップ状の部分であり、このフラップ形状は、踵を包むために利用される。即ち、フラップ部分２７は足首を後から包み込むのに適した大きさ及び形状を持つ、横長のほぼ４角形状を有し、４角形状のフラップ部分２７の長辺全部と、その両角に続く短辺の一部を、例えば縫い付けることにより、固定してできる部分によって形成されている。フラップ部分２７は、ポケット部分２５に足を入れたときに開口部２６から出てしまう踵が包まれるように、フラップ部分２７の開口部２６よりも後方に、浅い袋状部分２８を有することになる。２９は上記短辺の一部の縫い付け個所を示す。
【００２２】
ポケット部分２５の開口部２６を閉じているフラップ部分２７は、使用中に偶然に開放されないことが、低温やけどを予防するためにも望ましいことである。そのために、本考案では、フラップ部分２７の開閉端部にボタン穴３１を設け、ポケット部分２５には大き目のボタン３２を設けて、ボタン３２によって開閉端部を留め付けた構成とする。
【００２３】
また、本考案に係る足温部付き湯たんぽカバー１０においては、湯たんぽ収容部２３を開閉する開閉手段２２がスライドファスナーであり、閉じた状態ではそのスライダー２２ａがスライドファスナーの開閉端部に常に配置されるので、開閉端部の内側に当て布３３を取り付け、スライダー２２ａが直接湯たんぽに接触するのを防止する（図５）。従って、当て布３３は開閉端部の閉じ側にのみ設ければ良い。
【００２４】
本考案に係る足温部付き湯たんぽカバー１０はこのように構成されているので、開閉手段２２を開き、湯たんぽ収容部２３に、所望の湯たんぽを収められるものであり、湯たんぽは、多用途湯たんぽ１１のみならず、多用途性を有していない従来型の湯たんぽ１２をも全く同様に収めることができる。湯たんぽを、本考案のカバー１０に収めることにより、使用者の身体が湯たんぽに直に接触しなくなるので、低温やけどの恐れは少なくなり、安心して使用することができる。
【００２５】
多用途湯たんぽ１１を使用する場合には、提げ手２０が奥の方に位置するように配置して、開閉手段２２を閉じることにより、上面が爪先上がりの傾斜となる。使用者は、開口部２６を開くとともにフラップ部分２７を立て、足温部２４に足を差し込むようにする。すると、足の前部がポケット部２５に納まり、踵部が浅い袋状部分２８に包まれるようになり（図４）、足のほぼ全体が保温され、非常に良好な足温効果を得ることができる。
【００２６】
また、本考案のカバー１０を湯たんぽとして使用するときには、ボタン３２を確実に掛けておく。このボタン３２は大きく、ボタン穴３１から外れにくくなっているので、睡眠中無意識に外そうとしても中々外れず、不用意に足がポケット部２５に入ってしまうことを防ぐことができる。また、スライダー２２ａは当て布３３に接触しているので、高温にならず、足に接触しても熱い思いをせずに済む。
【図面の簡単な説明】
【００２７】
【図１】本考案に係る足温部付き湯たんぽカバーの一例に関するもので、多用途湯たんぽ及び従来型湯たんぽとともに示した斜視図である。
【図２】図１のＩＩ−ＩＩ線断面図である。
【図３】同じく図１のＩＩＩ−ＩＩＩ線断面図である。
【図４】本考案に係るカバーを適用して足温器として使用している状態を示す説明図である。
【図５】当て布を示す部分側面図である。
【符号の説明】
【００２８】
１０  足温部付き湯たんぽカバー
１１  多用途湯たんぽ
１２  従来型湯たんぽ
１３、１３′  湯たんぽ本体
１４ａ  小突起
１４ｂ  大突起
１５  凹部
１６、１６′  注湯口
１７  柱部
１８  曲面
１９−１〜１９−４  湾曲部
２０  提げ手
２１  カバー本体
２２  開閉手段
２２ａ  スライダー
２３  湯たんぽ収容部
２４  足温部
２５  ポケット部分
２６  開口部
２７  フラップ部分
２８  浅い袋状部分
２９  縫い付け箇所
３１  ボタン穴
３２  ボタン
３３  当て布
【図１】
0003126683.tif 000003
【図２】
0003126683.tif 000004
【図３】
0003126683.tif 000005
【図４】
0003126683.tif 000006
【図５】
0003126683.tif 000007